(57)【特許請求の範囲】
【請求項１】
壁面上に略水平方向に設けた上下１組の看板取付レールと、前記１組の看板取付レールの中間位置に設けた照明用光源と、断面が略長円形の光透過性合成樹脂直筒体よりなり、短径方向の後側壁中央部分に該直筒体の長さ方向に平行な光源収容用凹陥部を有すると共に該凹陥部を挟んで上部と下部とに前記看板取付レールに対する結合部材を備えた看板ユニットとを、少なくとも含んでなり、前記結合部材が、前記看板ユニットの後側壁面に一体化して嵌着された合成樹脂製の溝型取付座体に対し、嵌挿して結合されてなることを特徴とする壁面直付型照明看板。
【請求項２】
前記溝型取付座体が、前記看板ユニットの一方側端から他方側端にわたって設けられている、請求項１に記載の壁面直付型照明看板。
【請求項３】
前記溝型取付座体は、断面略Ｃ形の長尺型材で形成されたものである、請求項１又は２に記載の壁面直付型照明看板。
【請求項４】
前記結合部材が、金属製の長尺型材から形成されたものである、請求項１乃至３のいずれかに記載の壁面直付型照明看板。
【請求項５】
前記結合部材が、上部の看板取付レールに対して着脱可能に懸架できる構造を備えた上部結合部材と、下部の看板取付レールに対して着脱可能に係止できる構造を備えた下部結合部材との、２部材からなるものである、請求項１乃至４のいずれかに記載の壁面直付型照明看板。
【請求項６】
前記上部結合部材は、前記看板取付レールに沿って摺動可能である、請求項５に記載の壁面直付型照明看板。
【請求項７】
前記看板取付レールが、金属製の長尺型材から形成されたものである、請求項１乃至６のいずれかに記載の壁面直付型照明看板。
【発明の詳細な説明】
【０００１】
【発明の属する技術分野】
本発明は壁面直付型照明看板に関し、更に詳しくは、建築物又は構築物の壁面などに直付けにより看板面材を設けて、その裏側から照明することにより明るい表示を浮かび上がらせるように構成した看板に関するものである。
【０００２】
【従来の技術】
従来から、建築物又は構築物の壁面に直付けして看板を設けることが行われており、表面に模様や文字などを表示した乳白色半透明の平板体を前面に設け、その裏側より照明を当てることにより、観察者の目を引きやすい明るい表示を現出する、所謂内照式の看板が多く用いられている。
【０００３】
また、このような内照式看板には、前面からしか観察できない平坦な形状のものの他に、例えば店の前等に置かれて前後双方から観察できる独立型の看板や、例えば店の軒先や欄間等に設けられて斜め前方からも観察できる、立体化した形状の壁面直付型看板など、種々の形態のものがある。そして、これらの立体化看板は、例えば光透過性の乳白色半透明合成樹脂板（乳半板）などを用いて、真空成形やブロー成形などの手段により所望の形状の看板面材を成形し、例えば金属製などの枠体などに嵌め込んで形成されるのが普通であった。
【０００４】
ところでこうした内照式看板は、内部に照明用光源取り付け用の器具等を設けているために、金属製などの堅固な看板面材取付枠材を使用する必要があり、またこのような光源から発生する熱による空気の膨張収縮があるため、看板を密封構造とすることができない。そのため、空気の呼吸に伴って看板内部に水分が浸入することにより、前記の枠材が腐食して寿命を縮め、或いは、こうして発生した錆や内部に侵入した塵埃や昆虫等のために、看板面材の内面が汚染され、従って、分解して清掃するなど余分の維持費用がかかるという問題があった。
【０００５】
また、内照式看板のうちでも壁面直付型看板は、取り付け位置の状況に応じてデザインされるのが一般的であり、特に店舗の軒先や欄間等に設けられる大型の壁面直付型看板などでは、一旦取り付け壁面の屈折の状況、或いは取り付け位置や寸法などが決定された後は、デザインの変更ができない。従って、店舗の模様替えや増設等の際には、従来の壁面直付型看板を廃棄すると共に、新しい壁面直付型看板を作成して取り付ける必要があり、また運用中に看板の一部が破損しても、看板面材の全体を交換しなければならないため、回収再利用の不能な廃棄物が発生するばかりでなく、不経済であるという問題もあった。
【０００６】
【発明が解決しようとする課題】
そこで本発明は、従来の壁面直付型照明看板における上述のような問題点に鑑み、看板面材内面の汚染などが発生することなく、また清掃等の保守作業が極めて簡単容易であると共に、模様替えや破損等にも簡単且つ経済的に対応することができる、改良された壁面直付型照明看板を提供することを目的としたものである。
【０００７】
【課題を解決するための手段】
上記の目的を達成することができる本発明の壁面直付型照明看板は、壁面上に略水平方向に設けた上下１組の看板取付レールと、前記１組の看板取付レールの中間位置に設けた照明用光源と、断面が略長円形の光透過性合成樹脂直筒体よりなり、短径方向の後側壁中央部分に該直筒体の長さ方向に平行な光源収容用凹陥部を有すると共に該凹陥部を挟んで上部と下部とに前記看板取付レールに対する結合部材を備えた看板ユニットとを、少なくとも含んでなり、前記結合部材が、前記看板ユニットの後側壁面に一体化して嵌着された合成樹脂製の溝型取付座体に対し、嵌挿して結合されてなることを特徴とする。
【０００８】
更に本発明の壁面直付型照明看板において、溝型取付座体が、前記看板ユニットの一方側端から他方側端にわたって設けられており、断面が略Ｃ形の長尺型材で形成されたものであると、結合部材を組付ける作業が極めて容易となる。
そして、前記結合部材が金属製の長尺型材から形成されたものであると、看板の組立の際の看板ユニットの弾性変形を有効に抑えることができる。その一方で溝型取付座体が合成樹脂製であるために、合成樹脂製の看板ユニットと金属製の結合部材との膨張係数の差に基づく応力が、看板ユニットの結合部材取り付け部分に集中することによる、看板ユニットの破損を効果的に抑制できる。
【０００９】
また、前記結合部材が、上部の看板取付レールに対して着脱可能に懸架できる構造を備えた上部結合部材と、下部の看板取付レールに対して着脱可能に係止できる構造を備えた下部結合部材との、２部材からなるものであると、設置後の看板装置においても、任意の看板ユニットを取り外して交換することができ、従ってまた、任意の位置に設けた照明用光源の交換や修理などを簡単に行うことができる。
【００１０】
そのうえ、前記上部結合部材が上部看板取付レールに沿って摺動可能であり、また上部看板取付レールが金属製の長尺型材から形成されたものであると、一部の看板ユニットが損傷したときなどに、その看板ユニットを取り外した後に隣接した看板ユニットを順次に移動させることができるうえ、交換用の看板ユニットが補充されるまでの間、損傷した看板ユニットを最も目立たない位置に取り付けておくなどして、極めて容易に外観上の被害を最小限に抑制することができる。更にまた看板の補修を行う際の、古い看板ユニットと新しい看板ユニットとが隣接することによる見栄えの低下も、容易に避けることができる。
【００１１】
【発明の実施の形態】
本発明の壁面直付型照明看板を、図に基づいて説明する。
図１はコンビニエンスストアの前面の、欄間位置に設けられる横長の照明看板の例を示したものであるが、看板ユニット２はその裏面側の上下部に設けられた結合部材２０ａ，２０ｂにより、壁面１に取り付けられた上下２本の看板取付レール部材３ａ，３ｂに、着脱可能且つ左右摺動可能に結合されている。そして、看板ユニット２に隣接して他の看板ユニット２を、同様にして設けてある。
【００１２】
本発明の壁面直付型照明看板に用いられる看板ユニット２は、例えばアクリル樹脂、ポリカーボネート樹脂などの、光透過性の硬質合成樹脂の成形体、即ち前面体２１と後面体２２とを張り合わせるなどによって得られた、横長の直筒体よりなる中空体である。その断面は、図２に示すように略長円形であるが、前面体２１は厚さ２〜５mmの乳白色半透明板などで成形されたものであることが好ましい。一方、後面体２２は前記と同様な厚さの透明板などで成形されたものであることが好ましく、その中央部に長さ方向と平行な光源収容用凹陥部２ａが形成されている。そして、この凹陥部２ａを除いて、後面体２２の内側面或いは外側面に白色塗料などの光反射膜２３が設けてあり、凹陥部２ａから入射した照明用光源からの光が光反射膜２３反射し、効率よく前面体２２の全面から出射するように構成されている。
【００１３】
このような構造の看板ユニット２は、前述のように前面体２１と後面体２２とを張り合わせてなる中空体であるが、気温や気圧の変動に伴って変形を生ずる恐れがあるので、後面体２２の上部及び下部の適宜の位置に複数の通気孔を設け、例えば撥水性の多孔質シートなどを用いた通気栓などを、これに嵌着しておくことが好ましい。
【００１４】
また、看板ユニット２の後面体２２には、凹陥部２ａを挟んで上部と下部とに、看板取付レール部材３ａ，３ｂに対する結合部材２０ａ，２０ｂを装着するための、溝型取付座体２２ａ，２２ｂが設けられている。この溝型取付座体２２ａ，２２ｂは、例えばノリル樹脂やポリオレフィン樹脂などの剛性と潤滑性に優れた合成樹脂製の、断面が略Ｃ形の長尺型材を、後面体２２の背面側に例えばインサート成形などで一体的に結合して、形成したものである。このようにして看板ユニット２の後面体２２に、それぞれ設けられた溝型取付座体２２ａ，２２ｂには、結合部材２０ａ，２０ｂがそれぞれの端から挿入して取り付けてある。
【００１５】
看板ユニット２に装着された結合部材２０ａ，２０ｂは、例えば図４のＡ，Ｂ及び図５のＡ，Ｂに示すような構造を有する、例えば長尺のアルミニウム押出型材などからなるものである。一方、看板取付レール部材３ａ，３ｂも、例えば同じく図４のＡ，Ｂ及び図５のＡ，Ｂに示すような構造を有する、例えば長尺のアルミニウム押出型材などからなるもので、図３に示すように、看板の取り付け壁面１に水平方向に取り付けてある。そして看板取付レール部材３ａと同３ｂとの中間位置には、例えば蛍光管などの照明用光源４が取り付けてある。なお４ａは光源カバーである。
【００１６】
このような看板取付レール部材３ａ，３ｂに対して看板ユニット２を結合するには、先ず図４のＢに示すように、結合部材２０ａの係合板部２０ａ３を斜め上方から傾けた姿勢で、看板取付レール部材３ａの係合突起部３ａ３の下側に挿入し、次いで水平方向の位置、即ち図４のＡの状態にすると、結合部材２０ａの係合溝２０ａ２及び係合板部２０ａ３が、それぞれ看板取付レール部材３ａの支持端３ａ２及び係合突起部３ａ３に係合し、同時に結合部材２０ａの当接面２０ａ１が、看板取付レール部材３ａの当接面３ａ１に当接する。
【００１７】
こうして、看板ユニット２が看板取付レール部材３ａに対して懸架されると、図５のＡのように、結合部材２０ｂの第１当接面２０ｂ１及び第２当接面２０ｂ２が、それぞれ看板取付レール部材３ｂの第１当接面３ｂ１及び第２当接面３ｂ２に当接し、それと同時に、結合部材２０ｂの係止爪２０ｂ３が看板取付レール部材３ｂの係止肩３ｂ３に係合する。そのため、結合部材２０ａと看板取付レール部材３ａとの係合状態が保持され、その結果として、看板ユニット２は確実に看板取付レール部材３ａ，３ｂに結合されることになる。
【００１８】
このようにして結合された看板ユニット２を、看板取付レール部材３ａ，３ｂから取り外すには、先ず図５のＢのように、結合部材２０ｂの係合外しボタン２０ｂ５を押す。そうすると、スプリング２０ｂ４の付勢力に抗して係止爪２０ｂ３が係止肩３ｂ３から外れる。そこで結合部材２０ｂを看板取付レール部材３ｂから離すと、結合部材２０ａと看板取付レール部材３ａとの係合状態も簡単に解除され、看板ユニット２は看板取付レール部材３ａに対して単に懸架された状態になる。従って看板ユニット２は、看板取付レール部材３ａから取り外すことも、また看板取付レール部材３ａに懸架したまま任意の位置まで移動させることもできるものである。
【００１９】
【発明の効果】
本発明の壁面直付型照明看板装置は、壁面上に設けた看板取付レールに対して、後側から照明される断面が略長円形の光透過性合成樹脂中空直筒体よりなる看板ユニットを着脱並びに摺動可能に取り付けてなるもので、所望の数の看板ユニットを組み合わせることにより、看板の長さを任意に設定でき、設計や設置のコストを大幅に節減できる効果がある。
そして、看板ユニットと照明用光源とはそれぞれが別体として設けられ、取り外しが簡単であり、しかも看板ユニットと結合部材、並びに看板取付レールは、いずれも極めて信頼性の高い構造を有しているので、清掃や修理、部品交換、或いは部品等の回収再利用も容易であり、保守管理の費用が少ないうえ、廃棄物の量の抑制にも有効であるという利点もある。
【図面の簡単な説明】
【図１】本発明の壁面直付型照明看板の設置状態の１例を示す外観斜視図である。
【図２】本発明の壁面直付型照明看板に用いられる看板ユニットの構造を示す断面図である。
【図３】本発明の壁面直付型照明看板に用いられる看板取付レール及び照明用光源の構成と設置状態の例を示す外観斜視図である。
【図４】本発明の壁面直付型照明看板の看板ユニットを看板取付レールに結合する結合部材の例の構造を示し、Ａは上部看板取付レール部材と上部結合部材の結合状態を、またＢは上部看板取付レール部材に上部結合部材を懸架した状態を、それぞれ示す断面図である。
【図５】本発明の壁面直付型照明看板装置の看板ユニットを看板取付レールに結合する結合部材の例の構造を示し、Ａは下部看板取付レール部材と下部結合部材の結合状態を、またＢは下部看板取付レール部材から下部結合部材を開放する状態を、それぞれ示す断面図である。
【符号の説明】
１        壁面
１ａ      コーナー部
２        看板ユニット
２ａ      凹陥部
２０ａ    結合部材
２０ａ１  当接面
２０ａ２  係合溝
２０ａ３  係合板部
２０ｂ    結合部材
２０ｂ１  第１当接面
２０ｂ２  第２当接面
２０ｂ３  係止爪
２０ｂ４  スプリング
２０ｂ５  係合外しボタン
２１      前面体
２２      後面体
２２ａ    溝型取付座体
２２ｂ    溝型取付座体
２３      光反射膜
３ａ      看板取付レール部材
３ａ１    当接面
３ａ２    支持端
３ａ３    係合突起部
３ｂ      看板取付レール部材
３ｂ１    第１当接面
３ｂ２    第２当接面
３ｂ３    係止肩
４        照明用光源
４ａ      光源カバー
【図１】
0004217319.tif 000002
【図２】
0004217319.tif 000003
【図３】
0004217319.tif 000004
【図４】
0004217319.tif 000005
【図５】
0004217319.tif 000006